(57)【特許請求の範囲】
【請求項１】
ソケット本体（１）の内周部に受金（２）を設け、前記受金（２）に、ランプ（２０）の電球部（２１）の後端に設けた口金（２２）をその受金（２）の軸心周りにねじ込み可能で、そのねじ込みにより、前記ランプ（２０）を前記ソケット本体（１）に取付け可能とし、前記ソケット本体（１）に筒状を成すソケットホルダー（３）を設けてそのソケットホルダー（３）を前記受金（２）の軸心方向に沿って移動可能とし、前記ソケットホルダー（３）の先端に当接部材（１２）を設け、前記ソケットホルダー（３）をソケット本体（１）に対して前記軸心方向に沿って移動させて、前記当接部材（１２）を前記電球部（２１）の外面（２１ａ）に当接可能したソケット装置において、
前記当接部材（１２）は、金属製の芯材（１２ａ）の外側に、その芯材（１２ａ）の軸方向に沿ってガラス繊維を含む素材で形成されたチューブ（１２ｃ）を嵌めたものであり、そのチューブ（１２ｃ）が前記電球部（２１）の外面（２１ａ）に周方向に沿って当接することを特徴とするソケット装置。
【請求項２】
前記チューブ（１２ｃ）は、ガラス繊維を含む素材にシリコン樹脂を含浸させたものであることを特徴とする請求項１に記載のソケット装置。
【請求項３】
前記芯材（１２ａ）は、その軸方向全長に亘って軸直交方向への断面が円形であることを特徴とする請求項１又は２に記載のソケット装置。
【請求項４】
前記ソケットホルダー（３）の先端に内径側へ向く内周壁部（１３ｄ）を設け、前記芯材（１２ａ）は、その周方向１箇所に開口部を有する平面視Ｃ字状を成すものであり、前記当接部材（１２）は、前記芯材（１２ａ）の外径方向へ拡がる方向への弾性力により前記内周壁部（１３ｄ）の内径側に嵌め込んで固定されており、前記当接部材（１２）を前記ソケットホルダー（３）に着脱する際には、前記開口部の周方向への幅を狭めながら前記芯材（１２ａ）を縮径させることを特徴とする請求項１乃至３のいずれか一つに記載のソケット装置。
【請求項５】
前記内周壁部（１３ｄ）は、前記当接部材（１２）との当接部よりも先端側に、内径側へ突出するあご部（１３ｆ）を有することを特徴とする請求項４に記載のソケット装置。
【請求項６】
前記ソケット本体（１）の外径部に雄ネジ部（５）を設け、前記ソケットホルダー（３）の内径部に前記雄ネジ部（５）にねじ合う雌ネジ突起（４）を設け、前記雄ネジ部（５）と前記雌ネジ突起（４）とをねじ合わせた状態で前記ソケット本体（１）と前記ソケットホルダー（３）とを前記軸心周りに相対回転させることにより、前記ソケットホルダー（３）は前記ソケット本体（１）に対して前記軸心方向に沿って移動可能であり、前記ソケットホルダー（３）は内外を貫通する放熱窓（３ｂ）を有し、前記雌ネジ突起（４）は、前記放熱窓（３ｂ）が設けられた前記軸心方向位置において、前記放熱窓（３ｂ）を避けて周方向に断続的に設けられていることを特徴とする請求項１乃至５のいずれか一つに記載のソケット装置。
【請求項７】
前記ソケットホルダー（３）は、その先端と後端に設けられた環状の基部（３ａ，３ｅ）と、前記後端の基部（３ｅ）と先端の基部（３ａ）とを結ぶ柱部（３ｄ）を筒軸周りに複数本並列して有し、前記放熱窓（３ｂ）は、周方向に隣り合う前記柱部（３ｄ）間に形成されており、前記雌ネジ突起（４）は、前記後端の基部（３ｅ）に設けられた複数の第一雌ネジ突起（４ａ）と前記柱部（３ｄ）に設けられた複数の第二雌ネジ突起（４ｂ）とからなり、前記ソケットホルダー（３）は、一群の前記第一雌ネジ突起（４ａ）と一群の前記第二雌ネジ突起（４ｂ）の両方が前記雄ネジ部（５）にねじ合うことにより前記ソケット本体（１）に対して前記軸心方向に沿って移動可能で、且つ、一群の前記第一雌ネジ突起（４ａ）のみが前記雄ネジ部（５）にねじ合うことにより、前記ソケット本体（１）に対して前記軸心方向に沿って移動可能であることを特徴とする請求項６に記載のソケット装置。
【発明の詳細な説明】
【技術分野】
【０００１】
この発明は、集魚灯等に用いられ、各種ランプを固定するソケット装置に関するものである。
【背景技術】
【０００２】
集魚灯等の各種ランプを固定するソケット装置は、筒状のソケット本体の内周に受金を取り付け、その受金に、ランプの口金をねじ込み可能としたものが一般的である。
【０００３】
この種のソケットを、特に、船舶で使用する集魚灯や、各種輸送機器に用いられる照明具に用いると、揺れや振動を伴う状況下で使用されるので、口金と受金とが緩みやすいという問題がある。口金と受金とが緩むとランプへの導通が不安定になり、また、ランプの脱落にも繋がるので好ましくない。
【０００４】
そこで、揺れや振動に対しても緩みにくい構造とするため、例えば、図７（ａ）に示すように、ソケット装置Ｓのソケット本体１にランプ２０側へ突出する筒状のソケットホルダー３を設け、そのソケットホルダー３の先端に保持手段１０を設けたものがある。
保持手段１０を、ランプ２０の電球部（ガラスで覆われた部分）２１の外面２１ａに宛がうことにより、ランプ２０のソケット装置Ｓに対する緩みを防止する。
【０００５】
特に、集魚灯用等のランプ２０は、口金２２の長さ（受金の軸心方向（深さ方向）に対応する長さ）が、電球部２１の長さ（ガラスで覆われた部分の前記軸心方向への長さ）に対して極端に短いので、このような保持手段１０を設けることにより、ランプ２０のソケット装置Ｓに対するがたつきを防止し、緩みの発生を防止しているものである。
【０００６】
なお、保持手段１０はソケットホルダー３の先端（下端）に設けられている。ソケットホルダー３の内周に設けられた雌ネジ突起４が、ソケット本体１の外周に設けられた雄ネジ部５に噛み合っており、ソケットホルダー３をソケット本体１に対して相対回転させることにより、保持手段１０の位置がソケット本体１に対して前記軸心方向へ移動する。この移動により、保持手段１０と電球部２１との位置合わせができ、保持手段１０を電球部２１の外面２１ａへしっかりと当接させることができるようになっている。
【０００７】
また、この保持手段１０には、通常、電球部２１の外面２１ａに触れる部分に当接部材１１が設けられている。保持手段１０は、その当接部材１１を介して電球部２１の外面２１ａに宛がわれる。
【０００８】
図７に示す例では、この当接部材１１として、環状を成す金属製の押さえ環１１ａと、その押さえ環１１ａの周方向に沿って設けられた３本のコイルバネ１１ｂが用いられている。各コイルバネ１１ｂは金属製であり、その外周にガラス繊維製のチューブ１１ｃが嵌められている（図７（ｂ）に示す底面図参照）。
【０００９】
ランプ２０の口金をソケット装置Ｓの受金に対して時計周り方向へねじ込み、ランプ２０をソケット装置Ｓに固定した後、ソケットホルダー３をソケット本体１に対して同じく時計周り方向へ回転させることによりソケットホルダー３を降下させ、そのソケットホルダー３の先端の保持手段１０をランプ２０の電球部２１の肩部２３へ近付ける。
コイルバネ１１ｂのチューブ１１ｃが電球部２１の肩部２３の外面２１ａに接触した後、さらに、コイルバネ１１ｂを外側へ押し広げながらソケットホルダー３を降下させ、各チューブ１１ｃを押さえ環１１ａの内壁部１１ｄに当接させて、ソケットホルダー３の降下を終了させる。保持手段１０は、各コイルバネ１１ｂに嵌めたガラス繊維製のチューブ１１ｃを介して、電球部２１の外面１１ａを押圧するので、金属製のコイルバネ１１ｂのガラスへの焼き付きが防止されている（例えば、特許文献１参照）。
【００１０】
また、この当接部材１１として、上記のようなコイルバネ１１ｂを用いずに、例えば、図８に示すように、環状を成すガラス繊維製のリング部材１１ｅを用いる場合もある。リング部材１１ｅは、パッキン１１ｆを介してソケットホルダー３の先端に取付けられる。このリング部材１１ｅはガラス繊維によって環状に成形され、保持手段１０は、このリング部材１１ｅを介して電球部２１の外面２１ａを押圧する。
【先行技術文献】
【特許文献】
【００１１】
【特許文献１】特開２００３−２１７７７９号公報
【発明の概要】
【発明が解決しようとする課題】
【００１２】
上記図７に示すソケット装置Ｓによれば、３本のコイルバネ１１ｂをソケットホルダー３に取付けなければならず、その構造が複雑である。また、保持手段１０は、当接部材１１を構成するコイルバネ１１ｂを介して電球部２１の外周に対しその周方向に沿って断続的に当接するので、激しい揺れや振動に対してランプ２０に対する保持力が不足する場合もある。保持手段１０による電球部２１の保持力が周方向に沿って連続的でなく、すなわち、保持力が電球部２１の周方向に沿って均一でないからである。
【００１３】
この点、図８に示すソケット装置Ｓによれば、保持手段１０は、当接部材１１を構成するリング部材１１ｅを介して電球部２１の外周に対し、その周方向に沿って連続的に当接する。このため、保持力は電球部２１の外周全周に亘って均一に近くなり、その保持が安定する。
また、リング部材１１ｅはガラス繊維によって成形されているので、その構造が簡素であり、コスト的にも有利である。
【００１４】
しかし、この図８に示すソケット装置Ｓでは、特に、集魚灯等のように激しい揺れや振動等を伴う過酷な環境下で使用される場合は、ソケット装置Ｓとランプ２０との僅かな振動等の繰り返しによって、リング部材１１ｅに摩耗が生じる場合がある。リング部材１１ｅに摩耗が生じると、ソケット装置Ｓとランプ２０との緩みに繋がるので好ましくない。
【００１５】
また、これらのソケット装置Ｓでは、ソケット本体１とソケットホルダー３とはねじ結合により受金の軸心方向へ移動自在となっており、そのソケット本体１に対するソケットホルダー３の移動により、保持手段１０の位置をある程度調節することは可能である。しかし、その調節は、ランプ２０着脱時に必要な最低限度の範囲に限られる。これは、ソケットホルダー３は、大きく開口した放熱窓３ｂを有するので、ねじ溝を形成できる領域が限られており、受金の軸心方向に対して長い距離でソケット本体１にねじ結合できないからである。
【００１６】
このため、用途や性能に応じてバリエーション豊富な仕様のランプ２０が存在する中で、特定のソケット装置Ｓに対して、異なる仕様（形状、大きさ等）のランプ２０を用いる場合には対応できないのが実情であった。
【００１７】
そこで、この発明は、ソケット装置を簡素な機構とするとともに、ソケット装置とランプとの緩みの発生を防止することを第一の課題とし、異なる形状、大きさのランプにも対応できるようにすることを第二の課題とする。
【課題を解決するための手段】
【００１８】
上記第一の課題を解決するために、この発明は、ソケット本体の内周部に受金を設け、前記受金に、ランプの電球部の後端に設けた口金をその受金の軸心周りにねじ込み可能で、そのねじ込みにより、前記ランプを前記ソケット本体に取付け可能とし、前記ソケット本体に筒状を成すソケットホルダーを設けてそのソケットホルダーを前記受金の軸心方向に沿って移動可能とし、前記ソケットホルダーの先端に当接部材を設け、前記ソケットホルダーをソケット本体に対して前記軸心方向に沿って移動させて、前記当接部材を前記電球部の外面に当接可能したソケット装置において、前記当接部材は、金属製の芯材の外側に、その芯材の軸方向に沿ってガラス繊維を含む素材で形成されたチューブを嵌めたものであり、そのチューブが前記電球部の外面に周方向に沿って当接することを特徴とするソケット装置を採用した。
【００１９】
この構成によれば、芯材は軸方向に長いので、電球部の外周に対してその周方向に沿って連続的に当接させることができる。このため、保持力は電球部の周方向に沿ってより均一に近くなり、その保持が安定する。
また、芯材の外周をガラス繊維を含む素材で形成されたチューブで覆えば、ガラスに金属が直接触れることにより電球部の焼付きを回避することができる。ガラス繊維は、耐熱性にも優れている。また、ガラス繊維を含む素材で形成されたチューブであれば、ガラス繊維は柔軟性があるので、当接部材の電球部に対する前記連続的な当接を阻害しない。さらに、構造が簡素であり、コスト的にも有利である。
【００２０】
なお、芯材の平面視形状は、電球部の外周の形状（前記軸心方向に直交する断面における外形）に合わせて形成される。例えば、直線状に製造された芯材を、その平面視形状になるように曲げるのが簡単である。電球部の外周の形状は、通常は、円形や楕円形状であるから、芯材はこれに合わせて平面視円弧状を成すものとすればよい。
このとき、当接部材が電球部の外周全周に連続的に当接できるよう、芯材は円形や楕円形等のように、途切れなく環状に連続していることが望ましい。ただし、当接部材が電球部の外周にある程度連続的に当接していれば、その電球部に対する保持力を充分に確保し得る限りにおいて、電球部の外周に沿って当接していない部分が介在する当接部材としてもよい。例えば、その周方向１箇所に開口部を有する平面視Ｃ字状を成す芯材を採用した当接部材としてもよい。
【００２１】
この芯材の素材としては、種々の金属を採用し得るが、例えば、ステンレス鋼を採用することができる。
また、チューブは、ガラス繊維を含む素材で形成されていればよく、例えば、ガラス繊維又はガラス繊維を含む繊維をチューブ状の布に編んだもの、あるいは、ガラス繊維又はガラス繊維を含む繊維を用いたチューブ状の不織布等を採用することができる。
【００２２】
これらの各構成において、前記チューブは、ガラス繊維を含む素材にシリコン樹脂を含浸させた構成を採用することができる。これは、いわゆるシリコンガラスチューブと呼ばれるものである。シリコン樹脂を含浸させれば、さらに耐熱性を向上させることができるとともに、電球部の焼付き防止にもさらに効果的である。また、電球部のガラスとガラス繊維との適度な摩擦を阻害しない。
【００２３】
シリコン樹脂の含浸方法としては、例えば、ガラス繊維を含む素材で形成されたチューブを、硬化していないシリコン樹脂に浸漬した後、そのシリコン樹脂を硬化させてもよいし、そのシリコン樹脂を塗布、吹きつけ等した後、そのシリコン樹脂を硬化させてもよい。また、ガラス繊維又はガラス繊維を含む繊維に予めシリコン樹脂を含浸させておき、それをチューブ状に形成してもよい。
【００２４】
これらの各構成において、前記芯材は、その軸方向全長に亘って軸直交方向への断面が円形である構成を採用することができる。
芯材の断面が円形であれば、当接部材は、電球部の外面に対して線接触となって、その保持力をより安定させることができる。
【００２５】
これらの各構成において、前記ソケットホルダーの先端に内径側へ向く内周壁部を設け、前記芯材は、その周方向１箇所に開口部を有する平面視Ｃ字状を成すものであり、前記当接部材は、前記芯材の外径方向へ拡がる方向への弾性力により前記内周壁部の内径側に嵌め込んで固定されており、前記当接部材を前記ソケットホルダーに着脱する際には、前記開口部の周方向への幅を狭めながら前記芯材を縮径させる構成を採用することができる。
Ｃ字状を成す芯材の弾性力を活用すれば、当接部材のソケットホルダーへの着脱が簡単である。
【００２６】
さらに、その平面視Ｃ字状の芯材を用いた構成において、前記内周壁部は、前記当接部材との当接部よりも先端側に、内径側へ突出するあご部を有する構成を採用することができる。この構成によれば、当接部材はあご部を超える程度にまで縮径しなければ、ソケットホルダーに着脱することができない。このため、当接部材を、一旦、ソケットホルダーに取付ければ、その後の脱落をより確実に防止することができる。
【００２７】
また、上記第二の課題を解決するために、この発明は、ソケット本体の内周部に受金を設け、前記受金に、ランプの電球部の後端に設けた口金をその受金の軸心周りにねじ込み可能で、そのねじ込みにより、前記ランプを前記ソケット本体に取付け可能とし、前記ソケット本体に筒状を成すソケットホルダーを設けてそのソケットホルダーを前記受金の軸心方向に沿って移動可能とし、前記ソケットホルダーの先端に当接部材を設け、前記ソケットホルダーをソケット本体に対して前記軸心方向に沿って移動させて、前記当接部材を前記電球部の外面に当接可能としたソケット装置において、前記ソケット本体の外径部に雄ネジ部を設け、前記ソケットホルダーの内径部に前記雄ネジ部にねじ合う雌ネジ突起を設け、前記雄ネジ部と前記雌ネジ突起とをねじ合わせた状態で前記ソケット本体と前記ソケットホルダーとを前記軸心周りに相対回転させることにより、前記ソケットホルダーは前記ソケット本体に対して前記軸心方向に沿って移動可能であり、前記ソケットホルダーは内外を貫通する放熱窓を有し、前記雌ネジ突起は、前記放熱窓が設けられた前記軸心方向位置において、前記放熱窓を避けて周方向に断続的に設けられているソケット装置を採用することができる。
【００２８】
この構成によれば、ソケットホルダーに対してねじ部を形成できる領域を、受金の軸心方向、すなわち、ソケットホルダーの筒軸方向に拡げることができる。
このため、ソケット本体に対するソケットホルダーの移動可能範囲を大きく確保でき、ソケットホルダーの移動可能範囲が大きく確保できれば、異なる仕様（形状、大きさ等）のランプを用いる場合にも対応できるようになる。
【００２９】
この構成において、前記ソケットホルダーは、その先端と後端に設けられた環状の基部と、前記後端の基部と先端の基部とを結ぶ柱部を筒軸周りに複数本並列して有し、前記放熱窓は、周方向に隣り合う前記柱部間に形成されており、前記雌ネジ突起は、前記後端の基部に設けられた複数の第一雌ネジ突起と前記柱部に設けられた複数の第二雌ネジ突起とからなり、前記ソケットホルダーは、一群の前記第一雌ネジ突起と一群の前記第二雌ネジ突起の両方が前記雄ネジ部にねじ合うことにより前記ソケット本体に対して前記軸心方向に沿って移動可能で、且つ、一群の前記第一雌ネジ突起のみが前記雄ネジ部にねじ合うことにより、前記ソケット本体に対して前記軸心方向に沿って移動可能である構成を採用することができる。
【００３０】
この構成によれば、ソケットホルダーに対してねじ部を形成できる領域を筒軸方向により広く確保することができる。
【００３１】
なお、この第二の課題を解決するための前記雌ネジ突起を備えた構成は、上記第一の課題を解決するための当接部材を備えた構成と併用することができる。
【発明の効果】
【００３２】
この発明は、ソケット装置を簡素な機構とするとともに、ソケット装置とランプとの緩みの発生を防止することができ、また、異なる形状、大きさのランプにも対応できるようになる。
【図面の簡単な説明】
【００３３】
【図１】この発明の実施形態を示す分解斜視図
【図２】（ａ）は同実施形態の一部切断正面図、（ｂ）は（ａ）の要部拡大図
【図３】図２（ａ）のランプを、異なる仕様のランプに取り替えた状態を示す一部切断正面図
【図４】（ａ）は保持手段の分解斜視図、（ｂ）は当接部材の組み立て方を示す分解斜視図
【図５】ソケットホルダーの詳細を示し、（ａ）は平面図、（ｂ）は一部切断正面図
【図６】ソケットホルダーの斜視図
【図７】従来例を示し、（ａ）は一部切断正面図、（ｂ）は（ａ）の底面図
【図８】他の従来例を示す一部切断正面図
【発明を実施するための形態】
【００３４】
この発明の実施形態を図面に基づいて説明する。この実施形態は、集魚灯に用いられるソケット装置Ｓである。ソケット装置Ｓは、その上部に設けられた吊り金具６を介して、船上の所定の箇所に設置できるようになっている。図中の符号８は電源のケーブル線を、符号７は、そのケーブル線８の取出し部を示している。
【００３５】
図１及び図２に示すように、ソケット本体１の内周部に受金２が設けられ、その受金２に、ランプ２０の電球部２１の後端に設けた口金２２がねじ込み可能である。ランプ２０の口金２２を、受金２の軸心に対して、ソケット装置Ｓの底面側（ランプ２０側）から見て時計回りにねじ込むことにより、ランプ２０がソケット本体１に取付けでき、同反時計回りに回せばその取り外しができる。
【００３６】
ソケット本体１には、筒状を成すソケットホルダー３が設けられている。ソケットホルダー３は、ソケット本体１に対して、受金２の軸心方向（そのソケットホルダー３の筒軸方向と一致）に沿って移動可能となっている。ソケットホルダー３は、ソケット本体１に対して、その移動範囲内の任意の位置に設定することができる。なお、ソケットホルダー３の位置が決まれば、締め付け手段１４によって、そのソケットホルダー３をソケット本体１に対して動かないように固定できる。
【００３７】
ソケットホルダー３の先端には、保持手段１０が設けられている。保持手段１０を、ランプ２０の電球部２１の外面２１ａに宛がうことにより、ランプ２０のソケット装置Ｓに対する緩みを防止する。
このとき、ソケット本体１にランプ２０を取付けた後、ソケット本体１に対してソケットホルダー３を受金２の軸心方向に沿って移動させることで、保持手段１０を電球部２１の肩部２３の外面２１ａにぴったりと当接させることができる。
【００３８】
このソケットホルダー３のソケット本体１に対する移動は、ねじ結合によって成されている。具体的には、ソケット本体１の外径部に雄ネジ部５が設けられており、ソケットホルダー３の内径部に、その雄ネジ部５にねじ合う雌ネジ突起４が設けられている。
【００３９】
ソケットホルダー３は、図５及び図６に示すように、その筒軸方向の先端と後端とに設けられた環状の基部３ａ，３ｅと、その中間に設けられた同じく環状の基部３ｆ、及び、その後端の基部３ｅと中間の基部３ｆ、先端の基部３ａとをそれぞれ結ぶ柱部３ｄを筒軸周りに複数本並列して有している。
また、後端の基部３ｅと中間の基部３ｆとの間、中間の基部３ｆと先端の基部３ａと間のそれぞれにおいて、周方向に隣り合う柱部３ｄ，３ｄ間が、ソケットホルダー３を内外に貫通する放熱窓３ｂとなっている。放熱窓３ｂは、ランプ２０の点灯時に発生する熱を外部に逃がす機能を発揮する。
【００４０】
雌ネジ突起４は、後端の基部３ｅに設けられた複数の第一雌ネジ突起４ａと、柱部３ｄに設けられた複数の第二雌ネジ突起４ｂとからなる。これらの雌ネジ突起４は、放熱窓３ｂを避けて周方向に断続的に設けられている。
【００４１】
この実施形態では、第一雌ネジ突起４ａは、後端の基部３ｅの内径面に、筒軸周り９０°毎に合計４箇所設けられている。４箇所の第一雌ネジ突起４ａは、雄ネジ部５にねじ合うようにその筒軸方向の位置が設定されている。なお、この箇所数や配置方位（配置間隔）は自由に設定できる。後端の基部３ｅの内径面だけでなく、柱部３ｄの内径面にも第一雌ネジ突起４ａを設けてもよい。
この実施形態では、図６に示すように、各第一雌ネジ突起４ａの位置は、それぞれ、ソケットホルダー３の後端縁から筒軸方向に距離Ｌ１，Ｌ２，Ｌ３，Ｌ４の位置となっている。このとき、Ｌ１＜Ｌ２＜Ｌ３＜Ｌ４で、平面視半時計回り方向に向かうにつれて徐々に後端縁から遠ざかるように設定されている。また、このＬ１，Ｌ２，Ｌ３，Ｌ４を結んで形成される筒軸周りの螺旋は、ソケット本体１の雄ネジ部５の螺旋に一致している。
【００４２】
また、この実施形態では、第二雌ネジ突起４ｂは柱部３ｄの位置に合わせて設けられ、その柱部３ｄの内径面に筒軸周り９０°毎に合計４箇所設けられている。４箇所の第二雌ネジ突起４ｂは、雄ネジ部５にねじ合うようにその筒軸方向の位置が設定されている。なお、この箇所数や配置方位（配置間隔）は自由に設定できる。
この実施形態では、図６に示すように、各第二雌ネジ突起４ｂの位置は、それぞれ、ソケットホルダー３の後端縁から筒軸方向に距離Ｌ５，Ｌ６，Ｌ７，Ｌ８の位置となっている。このとき、Ｌ５＜Ｌ６＜Ｌ７＜Ｌ８で、平面視半時計回り方向に向かうにつれて徐々に後端縁から遠ざかるように設定されている。また、このＬ５，Ｌ６，Ｌ７，Ｌ８を結んで形成される筒軸周りの螺旋は、ソケット本体１の雄ネジ部５の螺旋に一致している。
【００４３】
ソケットホルダー３は、この一群（この実施形態では４つ１組）の第一雌ネジ突起４ａと、一群（同じく４つ１組）の第二雌ネジ突起４ｂの両方が雄ネジ部５にねじ合うことにより、ソケット本体１に対して、受金２の軸心方向に沿って移動可能である（図３参照）。
且つ、ソケットホルダー３は，一群の第一雌ネジ突起４ａのみが雄ネジ部５にねじ合うことによっても、ソケット本体１に対して、受金２の軸心方向に沿って移動可能である（図２参照）。
【００４４】
このように、放熱窓３ｂを避けて雌ネジ突起４を設けたので、ソケットホルダー３に設けられるねじ部の領域を、受金２の軸心方向、すなわち、ソケットホルダー３の筒軸方向に広く確保することができる。
このため、同一のソケット装置Ｓを使って、例えば、図２に示す比較的細い電球部２１を有するランプ２０や、図３に示す比較的太い電球部２１を有するランプ２０の両方に対応して、それぞれの場合において、保持手段１０を電球部２１の肩部２３の外面２１ａに当接させることができる。ソケット本体１に対するソケットホルダー３の移動可能範囲が大きく確保できるから、ランプ２０の交換により、電球部２１の肩部２３の位置が受金２の軸心方向にずれても、そのソケットホルダー３の移動で対応できるからである。
【００４５】
保持手段１０は、ソケットホルダー３の先端に設けられた当接部材１２を備える。当接部材１２は、図４に示すように、周方向１箇所に開口部を有する平面視Ｃ字状を成すステンレス製の芯材１２ａの外側に、その芯材１２ａの軸方向に沿ってシリコンガラスチューブ１２ｃ（以下、チューブ１２ｃと称する。）を嵌めたものである。芯材１２ａの両端１２ｂ、１２ｂ間が、周方向への隙間ｗ２を有する開口部となっている。
【００４６】
ソケットホルダー３をソケット本体１に対して、受金２の軸心方向に沿って移動させて、当接部材１２を電球部２１の肩部２３の外面２１ａに当接させる。芯材１２ａは軸方向に長いので、電球部２１の外周に対してその周方向に沿って連続的に当接させることができる。このため、保持力は電球部２１の周方向に沿ってより均一に近くなり、その保持が安定する。
【００４７】
さらに、その芯材１２ａは、その軸方向全長に亘って軸直交方向への断面が円形であるので、当接部材１２は、電球部２１の外面２１ａに対して線接触となって、その保持力をより安定させることができる。
【００４８】
このとき、芯材１２ａの開口部の隙間ｗ２は、肩部２３の外周の全長に対して僅かであるので、保持手段１０による電球部２１の保持力を阻害しない。
【００４９】
また、チューブ１２ｃによって芯材１２ａは外部に露出しておらず、そのチューブ１２ｃが、電球部２１の外面２１ａに接触する。すなわち、金属が電球部２１のガラスに接触せず、また、ガラス繊維は耐熱性に優れているので、ガラスの表面に焼付き等を生じることはない。また、ガラス繊維は柔軟性があるので、当接部材１２の電球部２１に対する連続的な当接を阻害しない。
【００５０】
この当接部材１２のソケットホルダー３への取付けは、固定具１３を介して行われる。
固定具１３は、環状を成すフラットな底部１３ａの外縁から周壁部１３ｂが立ち上がっており、その周壁部１３ｂが、ソケットホルダー３の先端の基部３ａの外周に嵌ることにより、固定具１３がソケットホルダー３に取付けられる。
【００５１】
また、固定具１３は、底部１３ａの内縁から内周壁部１３ｄが立ち上がっており、その内壁部の上縁（後端縁）から内径側に向かって張り出し部１３ｅが突出している。内周壁部１３ｄは内径側へ向く面を形成し、全周に亘って連続する。また、内周壁部１３ｄは、上縁に向かうにつれて徐々に外径側へ近づく方向へ傾斜しており、その結果、内周壁部１３ｄの下端（先端）に内径側へ突出するあご部１３ｆが形成されている。このあご部１３ｆよりも上方（後端側）、内周壁部１３ｄと張り出し部１３ｅとで構成されたコーナー部が、当接部材１２用の係止部１３ｃとなっている（図２（ｂ）参照）。
【００５２】
芯材１２ａは平面視Ｃ字状を成すものであるので、当接部材１２は、その芯材１２ａの外径方向へ拡がる方向への弾性力により、内周壁部１３ｄの内径側に嵌め込んで固定されている。すなわち、この当接部材１２を固定具１３に着脱する際には、芯材１２ａの開口部の周方向への幅を狭めながら、その芯材１２ａを縮径させて、係止部１３ｃに嵌め込み又はその取り外しをすることができる。このように、平面視Ｃ字状を成す芯材１２ａの弾性力を活用すれば、当接部材１２のソケットホルダー３への着脱が簡単である。
【００５３】
また、内周壁部１３ｄは、図２（ｂ）に示すように、当接部材１２との当接部よりも下端側（先端側）に、その当接部よりも内径側へ距離ｗ１だけ突出するあご部１３ｆを有するので、当接部材１２は、そのあご部１３ｆを超える程度にまで縮径しなければ、ソケットホルダー３に着脱することができない。このため、当接部材１２を、一旦、ソケットホルダー３に取付ければ、その後の脱落をより確実に防止することができる。
【００５４】
また、張り出し部１３ｅは、内周壁部１３ｄとの間で係止部１３ｃを形成しているが、その張り出し部１３ｅの内縁は、当接部材１２の内縁よりも距離ｗ３だけ外径側へ控えているので、この張り出し部１３ｅが、ランプ２０の電球部２１に当たることはない。
【００５５】
この実施形態では、芯材１２ａの素材としてステンレス鋼を採用したが、鉄やアルミ等種々の金属を採用することができる。
【００５６】
また、この実施形態では、チューブ１２ｃは、ガラス繊維を編んでチューブ状にした素材にシリコン樹脂を含浸させた、いわゆるシリコンガラスチューブを採用したが、この素材としては、ガラス繊維を含む素材で形成されていればよく、例えば、ガラス繊維又はガラス繊維を含む繊維をチューブ状の布に編んだもの、あるいは、ガラス繊維又はガラス繊維を含む繊維を用いたチューブ状の不織布等を採用することができる。
このチューブ１２ｃは、シリコン樹脂を含浸させたものであることが望ましい。シリコン樹脂を含浸させれば、さらに耐熱性を向上させることができるとともに、電球部２１の焼付き防止にもさらに効果的である。また、シリコン樹脂は、電球部２１のガラスとガラス繊維との適度な摩擦を阻害しない。
【００５７】
シリコン樹脂の含浸方法としては、例えば、ガラス繊維を含む素材で形成されたチューブを、硬化していないシリコン樹脂に浸漬した後、そのシリコン樹脂を硬化させてもよいし、そのシリコン樹脂を塗布、吹きつけ等した後、そのシリコン樹脂を硬化させてもよい。また、ガラス繊維又はガラス繊維を含む繊維に予めシリコン樹脂を含浸させておき、それをチューブ状に形成してもよい。
【符号の説明】
【００５８】
１  ソケット本体
２  受金
３  ソケットホルダー
４  雌ネジ突起
４ａ  第一雌ネジ突起
４ｂ  第二雌ネジ突起
５  雄ネジ部
１０  保持手段
１１，１２  当接部材
１１ａ  押さえ環
１１ｂ  コイルバネ
１１ｃ  チューブ
１１ｄ  内壁部
１１ｅ  リング部材
１１ｆ  パッキン
１２ａ  芯材
１２ｂ  端部
１２ｃ  チューブ
１３  固定具
１３ａ  底部
１３ｂ  周壁部
１３ｃ  係止部
１３ｄ  内周壁部
１３ｅ  張り出し部
１３ｆ  あご部
１４  締め付け手段
２０  ランプ
２１  電球部
２１ａ  外面
２２  口金
２３  肩部
Ｓ  ソケット装置
【要約】
【課題】簡素な機構でソケット装置とランプとの緩みの発生を防止する。
【解決手段】ソケット本体１の内周部に受金２を設け、受金２に、ランプ２０の電球部２１の後端に設けた口金２２をその受金２の軸心周りにねじ込み可能で、そのねじ込みにより、ランプ２０をソケット本体１に取付け可能とし、ソケット本体１に筒状を成すソケットホルダー３を設けてそのソケットホルダー３を受金２の軸心方向に沿って移動可能とし、ソケットホルダー３の先端に当接部材１２を設け、ソケットホルダー３をソケット本体１に対して軸心方向に沿って移動させて、当接部材１２を電球部２１の外面２１ａに当接可能したソケット装置において、当接部材１２は、金属製の芯材１２ａの外側に、その芯材１２ａの軸方向に沿ってガラス繊維を含む素材で形成されたチューブ１２ｃを嵌めたものであり、そのチューブ１２ｃが電球部２１の外面２１ａに周方向に沿って当接する構成とした。
【選択図】図１【図１】
0004832599.tif 000002
【図２】
0004832599.tif 000003
【図３】
0004832599.tif 000004
【図４】
0004832599.tif 000005
【図５】
0004832599.tif 000006
【図６】
0004832599.tif 000007
【図７】
0004832599.tif 000008
【図８】
0004832599.tif 000009